(57)【要約】【課題】加工性や組み立て性が良好であり、さらには機器本体に対する組み込み性や半田レス化への対応も可能にした、コネクタを提供する。【解決手段】バッテリーと機器本体との間を電気的に接続させるためのコネクタ１０である。コネクタケース１１と、これにに収容されるコンタクト１２と、コンタクト１２をコネクタケース１１に保持固定するためのカバー１３とを有する。コンタクト１２は、コネクタケース１１の保持部１７に係合する固定部２２と、固定部２２の両側にそれぞれ形成されてコネクタケース１１から突出する可動部２３、２４とからなる弾性体よりなる。可動部２３、２４は、その一方が機器本体側に、他方がバッテリー側にそれぞれ接続する。カバー１３は、保持部１７とともにコンタクト１２の固定部２２を挟持するようにコネクタケース１１に取り付けられ、固定手段によってコネクタケース１１に固定されるよう構成されている。【選択図】  図２
2005019305.tif 000002
【特許請求の範囲】
【請求項１】
機器本体に設けられて、バッテリーと機器本体との間を電気的に接続させるためのコネクタであって、
機器本体に組み込まれるコネクタケースと、このコネクタケースに収容されるコンタクトと、該コンタクトを前記コネクタケースに保持固定するためのカバーとを有し、
前記コンタクトは、前記コネクタケースに設けられた保持部に係合する固定部と、該固定部の両側にそれぞれ形成されて前記コネクタケースから突出する可動部とからなる弾性体よりなり、
前記可動部は、その一方が機器本体の導電部に接続し、他方がバッテリーの導電部に接続するよう構成されてなり、
前記カバーは、前記保持部とともに前記コンタクトの固定部を挟持するように前記コネクタケースに取り付けられ、固定手段によって該コネクタケースに固定されるよう構成されてなることを特徴とするコネクタ。
【請求項２】
前記コネクタケースに、前記コンタクトの少なくとも一方の可動部が、コネクタケースの外側に設定以上突出するのを防止する規制部が設けられていることを特徴とする請求項１記載のコネクタ。
【請求項３】
前記コネクタケースに、前記機器本体側の基板の係合部に係合する取付用係合部が設けられていることを特徴とする請求項１又は２記載のコネクタ。
【発明の詳細な説明】
【０００１】
【発明の属する技術分野】
本発明は、携帯電話などの小型でバッテリーを必要とする携帯製品に設けられるコネクタに係り、詳しくはバッテリーと機器本体との間を電気的に接続させるためのコネクタに関する。
【０００２】
【従来の技術】
近年、携帯電話は、各種部品などの小型化、軽量化が進められることによって低コスト化が図られ、これにより個人用の通信機器として広く普及している。
このような携帯電話では、通常その電源として充電可能なバッテリーが用いられており、バッテリーは携帯電話の機器本体に着脱可能に取り付けられるようになっている。そして、バッテリーと機器本体との間は、機器本体に組み込まれたコネクタによってその電気的接続がなされるようになっている。
【０００３】
ところで、バッテリーと機器本体との間の電気的接続をなすコネクタとしては、従来、例えばプローブ式のものが知られている。
図６は従来のプローブ式のコネクタの一例を示す図であり、図６中符号１はコネクタである。このコネクタ１は、ケース２にコンタクト３を複数（例えば２個）収容したもので、ケース２が機器本体、すなわち携帯電話の本体Ａに埋め込まれた状態で組み込まれたものである。
【０００４】
コンタクト３は、筒体４と、この筒体４に収容されたコイルばね５と、コイルばね５の両側にそれぞれ配置されたプローブ６とからなるものであり、プローブ６、６は、それぞれコイルばね５によって筒体４の外側に付勢されている。プローブ６には、筒体４内に配置される後端側に大径部６ａが形成されており、筒体４には、その両側開口部にそれぞれ孔４ａを有する蓋部４ｂが形成されている。そして、このような構成によりプローブ６は、その大径部６ａが蓋部４ｂに係止することによって筒体４内に納められ、その棒状の先端側６ｂが蓋部４ｂの孔４ａから進退可能に突出したものとなっている。なお、このコンタクト３の一方の側のプローブ６は、携帯電話の本体Ａに設けられた基板（図示せず）の導電部に接続した状態で配設されたものとなっている。
【０００５】
そして、このような構成からなるコネクタ１にあっては、図６中二点鎖線で示すようにバッテリーＢが携帯電話の本体Ａの所定位置に取り付けられると、他方の側のプローブ６がバッテリーＢの導電部に押圧されてこれに接続すると同時に筒体４内に押し込まれる。したがって、コネクタ１はそのプローブ６がコイルばね５による付勢力により、所定の接触圧でバッテリーＢの導電部に接続するようになっているのである。
【０００６】
しかしながら、プローブ式のコネクタ１にあっては、そのコンタクト３の構成が複雑であり、部品点数も多いことから、コストが高くなってしまうといった不満があった。また、コイルばね５を介して電気が流れるため、距離が長くなり、接触抵抗値が高いものとなっている。
このような背景から本出願人は、コストを低減し、さらにはコンタクトの各導電部に対する接触圧を十分に確保したコネクタを提供した（特許文献１）。
【０００７】
【特許文献１】
特開２００２−３１９４６１号公報
【０００８】
【発明が解決しようとする課題】
ところが、前記のコネクタにあっては、端子となるコンタクトがねじりコイルばねによって形成されており、そのコイル部がコネクタケースに取り付けられたシャフトに挿通されてこれに軸支されていることから、特にコンタクトの加工性やこれの組み立て性についてやや難があり、したがってその改善が求められている。
なお、組み立て性については、コネクタ自体の組み立てはもちろん、機器本体に対する組み込み性もより簡便となるような形態のものが望まれている。すなわち、従来では機器本体への組み込みを基板への半田付けで行うのが普通であったが、半田付け自体は必ずしも加工性に優れておらず、したがってその改善が求められている。また、近年では環境に対する配慮から、例えば半田を使用しない半田レス化が強く要求されるようになってきており、したがってこのような要求への対応も必要になってきている。
【０００９】
本発明は前記事情に鑑みてなされたもので、その目的とするところは、加工性や組み立て性が良好であり、さらには機器本体に対する組み込み性や半田レス化への対応も可能にした、コネクタを提供することにある。
【００１０】
【課題を解決するための手段】
本発明のコネクタでは、機器本体に設けられて、バッテリーと機器本体との間を電気的に接続させるためのコネクタであって、機器本体に組み込まれるコネクタケースと、このコネクタケースに収容されるコンタクトと、該コンタクトを前記コネクタケースに保持固定するためのカバーとを有し、前記コンタクトは、前記コネクタケースに設けられた保持部に係合する固定部と、該固定部の両側にそれぞれ形成されて前記コネクタケースから突出する可動部とからなる弾性体よりなり、前記可動部は、その一方が機器本体の導電部に接続し、他方がバッテリーの導電部に接続するよう構成されてなり、前記カバーは、前記保持部とともに前記コンタクトの固定部を挟持するように前記コネクタケースに取り付けられ、固定手段によって該コネクタケースに固定されるよう構成されてなることを前記課題の解決手段とした。
【００１１】
このコネクタによれば、コンタクトの固定部をコネクタケースの保持部に係合させ、その状態でコネクタケースにカバーを取り付け、固定手段によってカバーをコネクタケースに固定することで、その組み立てが終了することから、組み立て性がより良好なものとなる。また、コンタクトの固定部を、単に前記保持部に係合するものとしたことにより、例えばこの固定部をねじりコイルばねにおけるコイル部とした場合に比べ、その加工が容易になる。
【００１２】
また、前記コネクタにおいては、前記コネクタケースに、前記コンタクトの少なくとも一方の可動部が、コネクタケースの外側に設定以上突出するのを防止する規制部が設けられているのが好ましい。
このようにすれば、コンタクトの少なくとも一方の可動部が、コネクタケースの外側に設定以上不測に突出してしまうのが防止される。
【００１３】
また、前記コネクタにおいては、前記コネクタケースに、前記機器本体側の基板の係合部に係合する取付用係合部が設けられているのが好ましい。
このようにすれば、その取付用係合部を機器本体側の基板の係合部に係合するだけで、コネクタ自体の組み立てはもちろん、機器本体に対してコネクタを組み込むことができ、したがってその組み込み性がより簡便となる。また、従来のように半田付けを行うことなく組み込みを行うことができるので、環境に対しても良好なものとなる。
【００１４】
【発明の実施の形態】
以下、本発明を詳しく説明する。
図１〜図４は本発明のコネクタの一実施形態例を示す図であり、図１（ａ）、（ｂ）はコネクタの概略構成を示す斜視図、図２はコネクタの側断面図、図３（ａ）、（ｂ）、図４（ａ）、（ｂ）はコネクタの組み立て方法説明図である。これらの図において符号１０はコネクタであり、このコネクタ１０は、コネクタケース１１と、このコネクタケース１１に収容された複数（本例では４個）のコンタクト１２と、該コンタクト１２を前記コネクタケース１１に保持固定するためのカバー１３とを有してなるものである。なお、このコネクタ１０は、図６に示したコネクタ１と同様に、例えば携帯電話の機器本体に設けられて、バッテリーと機器本体との間を電気的に接続させるためのものである。
【００１５】
コネクタケース１１は、図１（ａ）、（ｂ）に示すようにコンタクト収容部１４をコンタクト１２の数に対応する分（本例では４つ）形成した略直方体状のもので、各コンタクト収容部１４を隔壁１５で仕切って構成された樹脂製のものである。コンタクト収容部１４は、図１（ａ）に示したようにコネクタケース１１の上面１１ａ側に開口するとともに、図１（ｂ）に示したようにコネクタケース１１の下面１１ｂ側にも開口したものであり、ここにコンタクト１２を収容したものである。なお、このコンタクトケース１１は、その下面１１ｂ側が機器本体の基板（図示せず）に取り付けられ、その上面１１ａ側がバッテリー（図示せず）に向くように構成配置されている。
【００１６】
このコンタクトケース１１には、図２及び図４（ａ）に示すように前記コンタクト収容部１４内の一方の側、すなわちカバー１３を取り付ける側にカバー取付部１６が形成されている。このカバー取付部１６は、図４（ａ）に示すようにコンタクト収容部１４を形成した側から突出するようにして形成されたもので、コンタクト収容部１４を形成した側に比べて、上面側および両側が共に小さく形成されたものである。このカバー取付部１６の、前記のコンタクト収容部１４と対応する位置には、図２に示したようにそれぞれ軸状の保持部１７が形成されており、さらにこのカバー取付部１６の外面側には、図４（ａ）に示したように３つの突起１８が形成されている。
【００１７】
保持部１７は、カバー取付部１６の内部に形成されたことで図４（ａ）に示すようにカバー取付部１６に溝状部１９を形成したもので、後述するようにコネクタ１０の固定部がこの溝状部１９に嵌め込まれた際に該固定部を巻回させ、ここに係合させるようになっている。また、この保持部１７には、図２に示したように少なくともコンタクトケース１１の上面１１ａ側とカバー取付部１６の外面側とに平坦部１７ａが形成されている。これら平坦部１７ａは、後述するように特にここで、カバー１３と共にコネクタ１２を挟持するようになっている。
突起１８は、後述するように本発明における固定手段の一部を構成するもので、前記保持部１７、１７間にそれぞれ形成されたものであり、前記カバー取付部１６にカバー１３が取り付けられた後、このカバー１３を固定させるよう機能するものである。
【００１８】
また、コンタクトケース１１には、図１（ｂ）に示したように下面１１ｂ側においてその両側に、前記した機器本体の基板に取り付けられる一対の係合片（取付用係合部）２０が下面１１ｂより突出した状態で形成されている。これら係合片２０は、コンタクトケース１１の両側壁部において、それぞれその下面１１ｂ側から一対の切り込み２１、２１が形成されたことにより、両側壁部の表裏側に向けて弾性変形可能に形成されたもので、その下端部には側方に突出してなる係合爪２０ａが形成されている。このような構成のもとに係合片２０は、後述するように機器本体の基板に形成された係合孔に係合し、これにより基板へのコネクタ１０の取り付けをワンタッチで行えるようにしている。
【００１９】
コンタクト１２は、図２及び図３（ａ）に示すように、全体が細板状で弾性変形が可能な金属製のばね体、すなわち金属製の弾性体からなるもので、前述したようにコネクタケース１１の保持部１７に係合する固定部２２と、該固定部２２の両側に形成された第１可動部２３および第２可動部２４からなるものである。ただし、このコンタクト１２としては、細板状でなく、その断面が円形あるいは楕円形の線材（ワイヤー）からなる弾性体でもよい。このようにすれば、このコンタクト１２の加工を基本的に線材の曲げ加工のみで行うことができ、したがってプレス金型が不要になるなど、生産コストの低減化を図ることができる。
【００２０】
固定部２２は、図２に示したように前記保持部１７をほぼ一周分周回することにより、該保持部１７に係合するよう構成されたもので、特に前記平坦部１７ａに対応する箇所については、該平坦部１７ａに密接するようやはりほぼ平坦に形成されたものとなっている。なお、平坦部１７ａに対応する箇所は、前述したように該平坦部１７ａ（保持部１７）とカバー１３とによって挟持されるようになっていることから、この固定部２２は前記溝状部１９に嵌め込まれた際、図４（ａ）に示したように前記平坦部１７ａに対応する箇所の少なくとも一部が、該溝状部１９より僅かながら突出するように形成されている。
【００２１】
第１可動部２３は、図２中実線で示すようにコネクタケース１１の上面１１ａ側にその一部が突出するよう形成されたもので、前記固定部２２の一方の側から延び、一回固定部２２側に戻るよう湾曲した後再度湾曲することで、固定部２２と反対の側に延びて形成されたものである。この第１可動部２３の先端部は、一旦下方（コネクタケース１１の下面１１ｂ側）に折れ曲がった後、固定部２２と反対の側に延びて形成されており、この固定部２２と反対の側に延びて形成された箇所は規制端２３ａとなっている。ここで、この第１可動部２３は、固定部２２に対してその上方、すなわちコネクタケース１１の上面１１ａ側に弾性復帰するよう、予め撓んだ状態（弾性変形した状態）に形成されたものである。
そして、このような構成のもとに第１可動部２３は、その上部、すなわち一回固定部２２側に戻った後再度湾曲して延びた部分が、後述するようにバッテリーと接触する部分となる接触部２３ｂとなっている。
【００２２】
なお、この第１可動部２３は、単に一方の側に延びただけでなく一方の側に延びた後、一回戻り、再度湾曲して一方の側に延びて形成されていることから、全体としては十分な長さを有するものの、固定部２２からその先端部（規制端２３ａ）までの見掛け上の長さは短いものとなっている。したがって、この第１可動部２３は、十分な長さを有することから良好な可撓性（弾性変形性）を有して十分な接触圧を確保することができ、かつ弾性変形した状態で長時間保持されていてもへたりが少ないものとなっている。また、見掛け上短いことにより、コネクタ１２の小型化をも可能にしている。
【００２３】
ここで、前記第１可動部２３の規制端２３ａは、前記接触部２３ｂがバッテリーに接触しておらず、したがって第１可動部２３が弾性復帰していることで前記接触部２３ｂがコネクタ収容部１４より突出しているとき、コンタクトケース１１の規制部２５の内面側に当接するようになっている。そして、このような構成のもとに第１可動部２３は、その接触部２３ｂがコネクタ収容部１４より外側に設定以上突出せず、これによって不測の故障（事故）が生じないようになっている。なお、前記のコンタクトケース１１の規制部２５は、コンタクト収容部１４の開口端を形成する縁部、すなわちコンタクトケース１１の上面１１ａ側で前記カバー取付部１６と反対の側の側壁によって形成されている。
【００２４】
第２可動部２４は、図２中実線で示すようにコネクタケース１１の下面１１ｂ側にその一部が突出するよう形成されたもので、前記固定部２２の他方の側から延び、その先端部が外側（コネクタケース１１の下面１１ｂ側）に膨らんで湾曲したものである。そして、この先端部の湾曲した部分が、後述するように機器本体側の導電部と接触する部分となる接触部２４ａとなっている。すなわち、この第２可動部２４は、固定部２２に対してその下方、すなわちコネクタケース１１の下面１１ｂ側に弾性復帰するよう、予め撓んだ状態（弾性変形した状態）に形成されたものであり、接触部２４ａが機器本体側の導電部と接触しておらず、したがって第２可動部２４が弾性復帰すると、接触部２４ａがコネクタ収容部１４より突出するようになっている。
【００２５】
カバー１３は、コネクタケース１１のカバー取付部１６に被着され取り付けられた樹脂製のもので、このカバー取付部１６の上面側および両側と、前記突起１８の形成面とを覆ってこれに固定されたものである。このカバー１３の、上面側および両側面側、すなわちカバー取付部１６の上面側および両側を覆う部分は、前記コネクタケース１１における保持部１７の平坦部１７ａ上を覆うようになっている。このような構成のもとに、このカバー１３の上面側および両側面側は、前記保持部１７とともに、該保持部１７に係合したコンタクト１２の固定部２２を挟持するようになっている。
【００２６】
また、このカバー１３には、前記突起１８形成面を覆う面に該突起１８を挿通させる貫通孔２６が形成されている。この貫通孔２６は、図２に示したようにコネクタケース１１側に形成された小径部２６ａと、これの外側に形成された大径部２６ｂとからなるもので、小径部２６ａが前記突起１８の外径より僅かに大径に形成されたものである。なお、突起１８は、後述するよう例えば熱カシメによってその先端側が大径にされ、これにより貫通孔２６の小径部２６ａより大径にされたことで、この小径部２６ａに保持固定されたものとなっている。すなわち、このような突起１８と小径部２６ａ（貫通孔２６）とにより、本発明においてコネクタケース１１にカバー１３を固定するための固定手段が形成されている。
【００２７】
このような構成のコネクタ１０を組み立てるには、まず、図３（ａ）中矢印Ｐで示すようにコンタクト１２を、その第１可動部２３、第２可動部２４を先にしてコネクタケース１１のコンタクト収容部１４に入れ、固定部２２を保持部１７に係合させた状態で矢印Ｑに示すようにコンタクト１２を約９０°回転させ、図２に示したように第１可動部２３の規制部２３ａを規制部２５に当節させる。すると、この状態でコンタクト１２は弾性復帰することにより、第１可動部２３の接触部２３ｂは図３（ｂ）に示すようにコネクタケース１１の上面１１ａ側に突出し、第２可動部２４の接触部２４ａはコネクタケース１１の下面１１ｂ側に突出する。
【００２８】
次に、図４（ａ）、（ｂ）に示すように、コネクタケース１１のカバー取付部１６にカバー１３を嵌め込んで係合させ、これに取り付ける。すると、カバー取付部１６の突起１８が貫通孔２６を貫通してその先端部がカバー１３の外側に突出する。また、このとき、図２に示したようにコンタクト１２の固定部２２が保持部１７の平坦部１７ａとカバー１３との間に挟持され、ここに固定される。
その後、突起１８に例えば熱カシメ処理を施し、これを溶融固化することで図２に示したようにその先端部を大径化することにより、この突起１８の先端部を貫通孔２６の小径部２６ａより大きくし、これによってカバー１３をケース取付部１６に固定する。
【００２９】
また、このようにしてコネクタ１０を組み立てたら、図５（ａ）に示すように機器本体の基板３０に対してこのコネクタ１０の下面側、すなわちコネクタケース１１の下面１１ｂ側を基板３０側に向ける。そして、図５（ｂ）に示すようにその係合片２０を基板３０に形成された係合孔３１に挿通し、その係合爪２０ａを基板３０の底面側に突出させてこの係合爪２０ａを係合孔３１の縁部に係合させ、これによってコネクタ１０を機器本体の基板３０に固定する。すると、基板３０上に形成された導電部３２にそれぞれコンタクト１２の第２可動部２４の接触部２４ａが当接し、これにより接触部２４ａは図２中二点鎖線で示したように弾性変形してコンタクト収容部１４内に引っ込む。そして、第２可動部２４は弾性復帰する力で接触圧を発生させ、これにより前記導電部３２に対して十分な接触圧で当接する。
【００３０】
ここで、係合片２０の基板３０への取り付けに際しては、一対の係合片２０、２０を単に係合孔３１に位置合わせしてそのまま差し込むだけで、これら係合片２０、２０がその外面（テーパ面）の傾斜によって内側に弾性変形し、これによって各係合爪２０ａ、２０ａが基板３０の係合孔３１をそれぞれ通過する。このようにして係合爪２０ａ、２０ａが係合孔３１を通過すると、係合片２０、２０は弾性復帰して元通り外側に広がり、これにより取り付けが終了する。したがって、係合片２０、２０を単に位置合わせして差し込むといった、ワンタッチの処理で取り付けを行えることから、このコネクタ１０は機器本体への組み込み性がより簡便なものとなる。また、従来のように半田付けを行うことなく基板３０への組み込みを行うことができるので、環境に対しても良好なものとなる。
【００３１】
なお、コンタクト１２の第１可動部２３の接触部２３ｂとバッテリーの導電部との接触については、従来と同様に、コネクタ１０を基板３０に組み込むことで自動的に接触部２３ｂが位置決めされ、これによってバッテリーの導電部が接触部２３ｂに接触するようにしておく。その際、バッテリーの導電部に当接することで接触部２３ｂは、図２中二点鎖線で示したように弾性変形してコンタクト収容部１４内に引っ込み、第１可動部２３は弾性復帰する力で接触圧を発生させる。したがって、これにより接触部２３ｂは、バッテリーの導電部に対して十分な接触圧で当接するようになる。
【００３２】
このようなコネクタ１０にあっては、コンタクト１２の固定部２２をコネクタケース１１の保持部１７に係合させ、その状態でコネクタケース１１にカバー１３を取り付け、さらにこれを固定することで組み立てを完了させることができることから、組み立て性がより良好になって生産性を向上するとともに生産コストの低減化を図ることができる。
また、特にコンタクト１２の固定部２２を、単に保持部１７に周回して係合するものとしたことにより、例えばこの固定部２２をねじりコイルばねにおけるコイル部とした場合に比べてその加工が容易になり、したがって生産性の向上及びコストの低減化を図ることができる。
さらに、前述したように係合片２０、２０を形成したことによって基板３０への組み込みをワンタッチで行えるようにしたことから、組み込み性をより簡便にすることができ、しかも半田付けを行うことなく組み込みを行うことができるので、環境に対しても良好なものとなる。
【００３３】
なお、本発明は前記実施形態例に限定されることなく、例えばコネクタケース１１の形状やコンタクト１２の収容数、さらにはコンタクト１２の第１可動部２３、第２可動部２４の各形状など、任意に設計変更することが可能である。
また、前記実施形態例では、本発明のコネクタが適用されるものとして携帯電話を挙げたが、本発明はもちろんこれに限定されることなく、電子手帳や電子辞書、ＰＤＡ等の携帯製品など各種のものに適用可能である。
【００３４】
【発明の効果】
以上説明したように本発明のコネクタは、コンタクトの固定部をコネクタケースの保持部に係合させ、その状態でコネクタケースにカバーを取り付け、固定手段によってカバーをコネクタケースに固定することで、その組み立てが終了するようにしたものであるから、組み立て性がより良好なものとなり、したがって生産性が向上するとともに生産コストの低減化が図られたものとなる。
また、コンタクトの固定部を、単に前記保持部に係合するものとしたことにより、例えばこの固定部をねじりコイルばねにおけるコイル部とした場合に比べてその加工が容易になり、したがって、このような構成によっても生産性の向上及びコストの低減化が図られたものとなる。
また、コネクタケースに、機器本体側の基板の係合部に係合する取付用係合部を設ければ、組み込み性がより簡便になるとともに、従来のように半田付けを行うことなく組み込みを行うことができることから、環境に対しても良好なものとなる。
【図面の簡単な説明】
【図１】（ａ）、（ｂ）は本発明のコネクタの一実施形態例を示す図であり、（ａ）はコネクタケースの上面側を示す斜視図、（ｂ）はコネクタケースの下面側を示す斜視図である。
【図２】図１に示したコネクタの側断面図である。
【図３】（ａ）、（ｂ）は図１に示したコネクタの組み立て方法を工程順に説明するための斜視図である。
【図４】（ａ）、（ｂ）は図３に続く工程を説明するための斜視図である。
【図５】（ａ）、（ｂ）は図１に示したコネクタを基板に取り付ける方法を説明するための側面図である。
【図６】従来のプローブ式のコネクタの一例を示す側断面図である。
【符号の説明】
１０…コネクタ、１１…コネクタケース、１２…コンタクト、１３…カバー、
１７…保持部、１８…突起、２２…固定部、２３…第１可動部、
２４…第２可動部、２５…規制部、２６…貫通孔、２６ａ…小径部
【図１】
2005019305.tif 000003
【図２】
2005019305.tif 000004
【図３】
2005019305.tif 000005
【図４】
2005019305.tif 000006
【図５】
2005019305.tif 000007
【図６】
2005019305.tif 000008